(57)【要約】      （修正有）【課題】長期使用に際しても有底筒体を常に確実に着脱自在とすることができると共に、蓋体をよりコンパクト化することができる携帯用飲料容器を提供する。【解決手段】容器本体１ａは、容器本体の口元を形成する内筒２の口元下方内壁に一つの環状突起６を設け、外筒３の口元下方外壁に雄ネジ７を刻設すると共に、有底筒体４は、口元上方に位置する突出部４ａと、突出部下部に容器本体口元を挟み込む下向き開放の凹部４ｂと、凹部の下方より内側で下側に延びた垂下部４ｃと、垂下部の下端で有底筒体の底となる底板部４ｄとが一体形成する。垂下部４ｃ下部外周壁には、内筒２の環状突起６飛び越え、適宜の間隔を隔てて環状に配設した複数の突起片８を設ける。さらに、底板部４ｄの垂下部４ｃ周りには、適宜の間隔を隔てて環状に配設した複数の飲み口１０を設け、蓋体５には、容器本体１ａの雄ネジ７に螺着する。又、外環状パッキン９と内環状パッキン１３にて密封を保つ。【選択図】図４
0003155671.tif 000002
【実用新案登録請求の範囲】
【請求項１】
内筒（２）と外筒（３）とからる真空二重瓶の容器本体（１ａ）と、容器本体（１ａ）の口元内側に装着する有底筒体（４）と、容器本体の口元を覆って容器本体外側に螺着する蓋体（５）とを備えた携帯用飲料容器（１）に於いて、上記容器本体（１ａ）は、容器本体の口元を形成する内筒（２）の口元下方内壁に一つの環状突起（６）を設け、外筒（３）の口元下方外壁に雄ネジ（７）を刻設すると共に、有底筒体（４）は、口元上方に位置する突出部（４ａ）と、突出部下部に容器本体口元を挟み込む下向き開放の凹部（４ｂ）と、凹部の下方より内側で下側に延びた垂下部（４ｃ）と、垂下部の下端で有底筒体の底となる底板部（４ｄ）とが一体形成され、垂下部（４ｃ）下部外周壁には、内筒（２）の環状突起（６）飛び越え、適宜の間隔を隔てて環状に配設した複数の突起片（８）、（８）を設け、この環状に配設した突起片の上方に内筒（２）の内筒垂直部（２ｄ）と密に接触する上部環状突出片（９ａ）と下部環状突出片（９ｂ）とを備えた外環状パッキン（９）を張設する一方、底板部（４ｄ）の垂下部（４ｃ）周りには、適宜の間隔を隔てて環状に配設した複数の飲み口（１０）、（１０）を設け、蓋体（５）には、容器本体（１ａ）の雄ネジ（７）に螺着すると同時に有底筒体（４）と密に接触する内環状パッキン（１３）を張設していることを特徴とした携帯用飲料容器。
【考案の詳細な説明】
【技術分野】
【０００１】
本考案は、金属製真空二重瓶からなる直飲み可能な携帯用飲料容器に関するものである。
【背景技術】
【０００２】
従来、金属製真空二重瓶の容器本体を設け、この容器本体の口元内側を覆う環状体を設け、この環状体の上面を覆い、容器本体の口元に着脱自在に螺着する容器蓋を設け、容器本体内の飲料を飲む際、容器蓋のみを離脱し、直接環状体に口をつけ直飲みし、飲み終えた後、容器本体より環状体、容器蓋を取り外し掃除することができる飲料用容器が特開２００９−６７４０９号公報として存在する。
【先行技術文献】
【特許文献】
【０００３】
【特許文献１】特開２００９−６７４０９号公報
【考案の概要】
【考案が解決しようとする課題】
【０００４】
ところが、この種の飲料用容器では、環状体２０の外側の周りに張設した外側パッキン２２のリップ２２ａが、内側筒のシール面と接触して、環状体２０の上下動を規制すると共に環状体２０には、容器口１１の内外を跨ぐ下向き開放の凹形部分がないために、環状体２０の着脱が容易すぎて、長期使用に際して容器口１１より容器口１１を逆位にすると自然に落下し、抜き落ちやすくなるという問題点があった。
【０００５】
又、容器蓋３０の栓部材３０ｂ外周下端に張設した内側パッキン３３は、環状体２０とは全く接触せず、環状体下方の容器口１１の内側筒のシール面よりも更に下段部分とにて接触しているために、環状体を有底とすることはできず、しかも容器蓋３０の栓部材３０ｂは、環状体の下端を大きく通り過ぎるために、容器蓋３０がより大型化することとなるという問題点があった。
【課題を解決するための手段】
【０００６】
本考案は、内筒２と外筒３とからる真空二重瓶の容器本体１ａと、容器本体１ａの口元内側に装着する有底筒体４と、容器本体の口元を覆って容器本体外側に螺着する蓋体５とを備えた携帯用飲料容器１に於いて、上記容器本体１ａは、容器本体の口元を形成する内筒２の口元下方内壁に一つの環状突起６を設け、外筒３の口元下方外壁に雄ネジ７を刻設すると共に、有底筒体４は、口元上方に位置する突出部４ａと、突出部下部に容器本体口元を挟み込む下向き開放の凹部４ｂと、凹部の下方より内側で下側に延びた垂下部４ｃと、垂下部の下端で有底筒体の底となる底板部４ｄとが一体形成され、垂下部４ｃ下部外周壁には、内筒２の環状突起６飛び越え、適宜の間隔を隔てて環状に配設した複数の突起片８、８を設け、この環状に配設した突起片の上方に内筒２の内筒垂直部２ｄと密に接触する上部環状突出片９ａと下部環状突出片９ｂとを備えた外環状パッキン９を張設する一方、底板部４ｄの垂下部４ｃ周りには、適宜の間隔を隔てて環状に配設した複数の飲み口１０、１０を設け、蓋体５には、容器本体１ａの雄ネジ７に螺着すると同時に有底筒体４と密に接触する内環状パッキン１３を張設した構成としている。
【考案の効果】
【０００７】
本考案は、従来の問題点を解決したものであって、長期使用に際しても有底筒体を常に確実に着脱自在とすることができると共に、蓋体をよりコンパクト化することができる携帯用飲料容器を提供するにある。
【図面の簡単な説明】
【０００８】
【図１】本考案実施例の正面図。
【図２】本考案実施例の分解斜視図。
【図３】本考案実施例の分解縦断面図。
【図４】本考案実施例の一部縦断面図。
【図５】本考案の他の実施例を示すの一部縦断面図。
【考案を実施するための形態】
【０００９】
携帯用飲料容器１は、金属製の内筒２と金属製の外筒３とからなる容器本体１ａと、容器本体１ａの口元内側に装着する有底筒体４と、容器本体１ａの口元外側に螺着する蓋体５とから構成されている。
【００１０】
容器本体１ａの内筒２は、図３及び図４に示すように、ステンレス等の金属材料にて有底筒状に形成されており、内筒胴体２ａと、この内筒胴体２ａの上端を上方に向けて内側にすぼめた内筒傾斜部２ｂと、この内筒傾斜部２ｂの上端より上方に延びた内筒最小径部２ｃと、この内筒最小径部２ｃの上端より上方に向けてわずかに拡がり延びた内筒垂直部２ｄとが一体的に形成されている。
【００１１】
この内筒垂直部２ｄの内側には、図４に示すように、後述の有底筒体４の突起片８，８を下側に通過させて上方への移動を規制する小さな環状突起６を設けている。
【００１２】
容器本体１ａの外筒３は、図３及び図４に示すように、内筒２と同一材料であるステンレス等の金属材料にて間隔を設けて内筒２を囲むように有底筒状に形成されており、外筒胴体３ａと、この外筒胴体３ａの上端を上方に向けて内側にすぼめた外筒傾斜部３ｂと、この外筒傾斜部３ｂの上端より上方に延びた外筒小径部３ｃと、この外筒小径部３ｃの上端より更に内側にすぼめてその先端が上方に延びた口元接合部３ｄとが一体的に形成されている。
【００１３】
この外筒小径部３ｃの外側には、後述の蓋体５の雌ネジ１５を螺着する雄ネジ７が刻設されている。
容器本体１ａの外筒３の口元接合部３ｄと内筒２の内筒垂直部２ｄの上端とは、図４に示すように、重ね合わされて溶接され、容器本体１ａの口元とされており、この外筒３と内筒２との隙間は、真空とされている。
【００１４】
有底筒体４には、図２乃至図４に示すように、上部に突出部４ａと、この突出部４ａの下端に容器本体１ａの口元内外を跨ぐ下向き開放の凹部４ｂと、この凹部４ｂの下端よりわずかに内側で下方に延びた垂下部４ｃと、この垂下部４ｃの下端で有底筒体４の底となる底板部４ｄとが一体的に形成されている。
【００１５】
この垂下部４ｃの下部外側には、上方より容器本体１ａの環状突起６を飛び越えて、この環状突起６の下壁と接触する突起片８、８が設けられている。
この突起片８は、図２に示すように、有底筒体４の垂下部４ｃの外周壁に適宜の間隔を隔てて複数設けられている。この突起片８、８が一つの環状につながったものでなく、適宜の間隔を隔てて複数設けられているために、容器本体１ａの環状突起６に対して上下の飛び越えを非常に容易にすることができている。
【００１６】
有底筒体４の突起片８より上方の垂下部４ｃ外周壁には、図２乃至図４に示すように、外環状パッキン９が張設されている。この外環状パッキン９は、図３及び図４に示すように、
間隔をあけた上部と下部にそれぞれ内筒２の環状突起６よりも上方で内筒垂直部２ｄ内壁と接触する上部環状突出片９ａ及び下部環状突出片９ｂとが設けられている。
【００１７】
この上部環状突出片９ａ、下部環状突出片９ｂのどちらか一方、または両方とが、内筒垂直部２ｄ内壁と確実に接触することができる。
有底筒体４の凹部４ｂは、図４に示すように、内筒２と外筒３とが重ね合わさった容器本体１ａの口元を覆っており、容器本体１ａの口元の左右移動をも確実に規制している。
【００１８】
有底筒体４の底板部４ｄには、図２乃至図４に示すように、垂下部４ｃの下端内壁周りに適宜の間隔を隔てて複数の飲み口１０，１０が設けられている。
この飲み口１０の一つは、空気抜き口として用いられている。
【００１９】
蓋体５は、図３及び図４に示すように、容器本体１ａの口元に被さった有底筒体４を上方より覆う蓋部材１１と、蓋部材１１の上端を覆う蓋カバー１２と、有底筒体４の突出部４ａ内壁面又は上面と密に接触する内環状パッキン１３とからなっている。
１４は、断熱材である。
【００２０】
蓋体５の蓋部材１１には、図３及び図４に示すように、内壁下端に容器本体１ａの外筒３に設けた雄ネジ７に螺着する雌ネジ１５を刻設した外垂下部１１ａと、この外垂下部１１ａの上端より内側に延びた水平壁部１１ｂと、この水平壁部１１ｂの先端より下方に延びた内垂下壁部１１ｃと、この内垂下壁部１１ｃの下端より内側に延びた底壁部１１ｄとが一体的に形成されている。
【００２１】
蓋部材１１の内垂下壁部１１ｃ周りには、図４に示すように、内環状パッキン１３が張設されており、有底筒体４の突出部４ａ、凹部４ｂ及び垂下部４ｃの内側壁に密に接触している。
又、この内環状パッキン１３は、図５に示すように、蓋部材１１の水平壁部１１ｂ下壁に張設されて、有底筒体４の突出部４ａ上端と密に接触するようにしても何ら支障をきたすものではない。
この蓋部材１１では、底壁部１１ｄが有底筒体４の底板部４ｄに近い個所に配置されているが、図５に示すように、内垂下壁部１１ｃの長さを短くして底壁部１１ｄを有底筒体４の底板部４ｄよりも遠い上方に配置してもよい。
【００２２】
蓋カバー１２は、図４に示すように、蓋部材１１の水平壁部１１ｂ、底壁部１１ｄと上下に間隔を隔てた上端面を覆って、蓋部材１１の外垂下部１１ａ外側壁に被さって蓋部材１１に装着されている。
【００２３】
このようにして、容器本体１ａ内の飲料、氷等を注ぎ入れる際には、蓋体５をはずした後に、有底筒体４を容器本体１ａの口元から引っ張り上げると、有底筒体４の複数の突起片８、８が、内筒２の環状突起６を飛び越えて上昇し、有底筒体４が容器本体１ａから容易に抜き出せることができて、容器本体１ａ内に飲料、氷等を注ぎ入れることができる。
【００２４】
更に、飲料、氷等を容器本体１ａ内に入れた後、容器本体１ａの口元に向かって有底筒体４を押し下げれば、底筒体４の複数の突起片８、８が、内筒２の環状突起６を飛び越えて、この環状突起６の下端面に接触すると共に、外環状パッキン９の上部環状突出片９ａ及び下部環状突出片９ｂとが、内筒垂直部２ｄと密に接触し、有底筒体４の下向き開放の凹部４ｂ内に容器本体１ａの口元がスムーズに挿入される。その後蓋体５を容器本体１ａに螺着すれば屋外等へ携帯することができる。
【００２５】
次に、容器本体１ａ内の飲料を直飲みするには、蓋体５を容器本体１ａより螺子外せば、有底筒体４の突出部４ａに口をつけて飲むことができる。その際、容器本体１ａ内に入れられた氷は、有底筒体４の底板部４ｄに邪魔されて飲料と共に排出されることはない。
【００２６】
以上本考案の代表的と思われる実施例について説明したが、本考案は必ずしもこれら実施例構造のみに限定されるものではなく、本考案にいう前記の構成要件を備え、かつ、本考案にいう目的を達成し、本考案にいう効果を有する範囲内において適宜改変して実施することができるものである。
【符号の説明】
【００２７】
１…携帯用飲料容器
１ａ…容器本体
２…内筒
２ａ…内筒胴体
２ｂ…内筒傾斜部
２ｃ…内筒最小径部
２ｄ…内筒垂直部
３…外筒
３ａ…外筒胴体
３ｂ…外筒傾斜部
３ｃ…外筒小径部
３ｄ…口元接合部
４…有底筒体
４ａ…突出部
４ｂ…凹部
４ｃ…垂下部
４ｄ…底板部
５…蓋体
６…環状突起
７…雄ネジ
８，８…突起片
９…外環状パッキン
９ａ…上部環状突出片
９ｂ…下部環状突出片
１０，１０…飲み口
１１…蓋部材
１１ａ…外垂下壁部
１１ｂ…水平壁部
１１ｃ…内垂下壁部
１１ｄ…底壁部
１２…蓋カバー
１３…内環状パッキン
１４…断熱材
１５…雌ネジ
【図１】
0003155671.tif 000003
【図２】
0003155671.tif 000004
【図３】
0003155671.tif 000005
【図４】
0003155671.tif 000006
【図５】
0003155671.tif 000007